(57)【要約】      （修正有）【課題】現実に使える避難用シエルターの提供。【解決手段】人を乗せて水面に浮かべる事が出来る容器１を、極力、小型軽量化し、人が人力だけで取り扱いが出来る、小型のシエルターとし、脱着できるフロート２を設ける事により、浸水転覆のし難いシエルターとなり、地震時には家屋倒壊から身体を防護するシエルターにも成る、地震、水害共に役立つシエルターである。【選択図】図１０
2020165305.tif 000002
【特許請求の範囲】
【請求項１】
図１０に示す様に容器の上面から人が出入り出来る、人を乗せて水面に浮かぶ事が出来る容器（１）に、接岸保持手段（９）（舫（もやい）綱（１６）、フック棒（１１）のいずれか、又はその両方）を設けた事を特徴とする避難用シエルター。
【請求項２】
容器（１）の外周に、フロート（２）が水面位置に向かう、フロート取り付け手段（３）を設けた事を特徴とする請求項１に記載の避難用シエルター。
【請求項３】
容器（１）の外周壁面は逆円錐、逆角錐、の下すぼみテーパー形状である、請求項１、２いずれかに記載の避難用シエルター。
【請求項４】
図１、図６に示す様にフロート取り付け手段（３）は、容器（１）とフロート（２）を、引張力を付与されたゴム紐等の紐又はロープ（以下、引張紐（５）と言う）で繋ぐ、以下に述べる二種類の手段であり、その一つ目は容器外周壁面が下すぼみ形状のテーパー形状容器外周に引張紐（５）を水平に巻き付け、その引張紐（５）に複数のフロート（２）を繋ぐ手段である、二つ目は容器（１）の下端から引っ張られた引張紐（５）に繋がれたガイド（２１）とガイド溝（２０）とを組み合わせた物に、容器（１）とガイド溝（２０）、フロート（２）とガイド（２１）を、それぞれ繋ぎ、ガイド溝（２０）とガイド（２１）を嵌め込み繋いだ手段、並びにその手段によって繋がれた容器（１）とフロート（２）である、請求項１、２、３いずれかに記載の避難用シエルター。
【請求項５】
図７に示す様に容器（１）には外リング（１２）内リング（１３）のいずれか一方又はその両方が設けられた請求項１、２、３、４いずれかに記載の避難用シエルター。
【請求項６】
図５に示す様に  容器（１）の外周に、フイン式手漕ぎオール（１４）が設けられた請求項１、２、３、５いずれかに記載の避難用シエルター。
【請求項７】
図８に示す様にビニール膜等、屈曲自在の膜（１８）を二つ割りにして、その割られた部位にファスナー（１９）を設け、膜（１８）周辺を容器（１）の内周天端に取り付けた請求項１、２、３、６いずれかに記載の避難用シエルター。
【請求項８】
図９に示す様に地震時には家屋倒壊等の上から落ちて来る屋根材、天井材の落下から身体を守る防護容器となる、避難用シエルターであり、容器の上下を逆様にし、人が出入り出来る上面を床に接する下面とし、容器（１）を床に置いた時、床と容器下端の隙間から人間が容器（１）内に入り込める隙間が出来る為の突っかい棒（１７）を、容器（１）の下端から床に向って突き出して設け、突っかい棒（１７）の出し入れが出来る構造に容器（１）に設けた請求項１、３いずれかに記載の避難用シエルター。
【請求項９】
既存の分解組み立て技術を使って、嵩張る容器（１）を収納する為に、適宜な大きさに区分け分解し、フランジ等を追加し、ボルトナットで組み立てる等の、元の大きさに組み立て完成できる状態に分解された、請求項１、２、３、いずれかに記載の避難用シエルター。
【請求項１０】
図１１に示す様にフロート取り付け手段は容器（１）外周の上下各々に、滑車（２２）を設け、その滑車にロープを張り渡し、ループ状にしたループ式ロープ（２３）にフロート（２）を固定して儲け、避難者が手を伸ばして、ロープを上下に動かすと、フロート（２）も上下に動き、任意の位置で止められるフロート取り付け手段を複数箇所、容器（１）外周に設けた請求項１、２、３、いずれかに記載の避難用シエルター。
【発明の詳細な説明】
【技術分野】
【０００１】
この発明は地震、水害の災害に対して、生き延びる手段になる避難用シエルターに関するものです。    
【背景技術】
【０００２】
島国日本には地震、台風、津波、洪水等、様々な自然災害が発生してきました。山間地が国土面積の７割を占めるわが国には、水辺に出来た僅かの平地に大半の人が暮らしています。水辺である海岸には津波、大潮、台風に因る越水、川辺には大雨、ゲリラ豪雨。これらは堤防を越え、又は決壊させ、流域に水害をもたらします。又、がけ崩れや土砂の流出は、住宅街、商店街、道路、鉄道、橋、街、村、学校、避難所等を破壊し、流下します。自然現象は大地を揺らし、削り、崩れ、人々が営々と築いてきた物を壊し、命さえ奪います。この課題に対し、人々は耐久強度を上げる等、様々な工夫をし、懸命に戦って来ました。しかしながらこの努力以上に、最近の災害は規模、威力、頻度が大きく、多数の人々に犠牲を強いてきます。膨大な自然エネルギーに立ち向かう事は物理的に無理ですが、命だけは助かる手段を作りたいものです。
【先行技術文献】
【特許文献】
【０００３】
【特許文献１】特開２０１７−１７１２６５  水害用シエルター。
【特許文献２】特開２０１５―２１７９３２  津波救命シエルターボート。
【特許文献３】特開２０１５―１９３３７３  複数ハッチ略箱型シエルター。
【特許文献４】特開２０１７―２１７９９０  津波避難用浮遊体。
【特許文献５】特許６１７８２９７号    避難用シエルター
【非特許文献】
【０００４】
実開昭５９−１５８５９５  救命シエルター
【発明の概要】
【発明が解決しようとする課題】
【０００５】
災害列島日本には地震、台風、津波、洪水等、様々な災害が発生してきました。人々は様々な工夫で災害に対処してきましたが、多種の災害は、多発し、威力を増し、人々を苦しめます。自然現象の力は強大ですが、命だけは助かりたいものです。地球誕生46億年の歴史の中で、僅か、僅か３００年前、１０億人だった世界人口は、今や８倍にせまろうとしています。あのとてつもなく大きかった母地球の自然浄化能力を、まさか、まさか人類行為の総和が打ち負かす時代が来るなんて、誰が想像したでしょう。オゾン層破壊、地球温暖化、海面上昇、永久凍土溶解。自然摂理は嘘をつきません。学者、研究者により、人類行為の総和が、母地球環境の自然浄化能力を上回っている事を指摘されて久しい今日に於いても、未だに使い捨て商品を開発し、新発売する生物。その警鐘なのでしょうか。その災害が多発する今日に於いても、水害時の避難対策は、情報の早期収集伝達以外には、あまり有効な物がありません。情報によって、時間の有る間に、安全な所へ逃げるのが一番です。しかし何時の世にも、逃げ遅れがあるのも、世の事実です。東日本大震災以降、津波用の多くのシエルターが提案されました。津波の衝撃にも耐える強度を持った箱や球体、大型から小型まで色々有りますが、各家庭で使うには、不向きで現実的でない物が多いのです。東日本大震災の津波映像で映し出された、建屋、船、自動車、タンク等が群集し、怒涛の如く押し寄せる大災害、あの天地をひっくり返すような、激しい波が逆巻く状況に対処する事は無理でしょうが、そうでは無い水害もあります。例えば堤防が決壊して、浸水被害に遭う所は、決壊場所付近は激流でしょうが、遠く離れたところでは、大きな波は立たないが、浸水は迫ってくるところもあります。そのような場所の方が広域です。本件発明はそのような場合に役立つ、普及のし易い、使い易さを一番に考えた発明です。
【０００６】
具体的に述べます。大型、大掛かりな物は、製作費も高額なので、個人では、持たない、持てない、買わない、買えない。又場所を取る物は、家のそばには置かない、置けない。被災したその場所から乗り込めない。
【０００７】
球形のシエルターは、丈夫だとの考えからか、多いのですが、保管場所の為か、小型で窮屈なものが多い、これでは長くは乗っていられない、身体を伸ばした状態で人が乗れる大きさの球だと、浮力が大き過ぎて、浮く球体が、回転する為に、姿勢制御が難しい。重心を下げる為の重り等、余分な物で姿勢を保つことに成る、これでは製品重量が増え、運搬、移動、設置等、人力では扱いにくい要素が増える。球体に設けられた入り口、ハッチからの、出入りを想像すると、水面が波立つ状態の時、安定静止し難い球体の物に、乗り込む事が、出来るのかどうか、かなり難しい事が、容易に想像される。
【０００８】
人間の身体の大きさ、能力に相対して、シエルターの大きさが、人間の力で扱える物なのかどうなのか、これに対しても疑問が湧く。まず重量、大人一人で扱うには３０ｋｇ程度が限度だと思う。二人で扱うとしても５０ｋｇだろう。ウインチ、レッカー、クレーン等を使っての使用では、緊急時には使えないし、一般家庭や被災現場にその様な機械も設備も無い。特許公報に載っているアイデアには、現実を捉えていない物も多い。シエルターである球体容器内部床面に、身長１７０ｃｍの大人が足を投げ出して座ると、最低１１０ｃｍ程の水平長さがいる、つま先を伸ばすと１２０ｃｍ程要る。直径１２０ｃｍの球体の体積は０，９１５８&#13221;、浮力はシエルター重量を引いても９００キログラムぐらいにはなるだろう。１２０ｃｍは球心（球体の中心）位置の内径長さ（直径）なので、球体底面では、身体を曲げても座れない事になる、とすると球を水平線で二つに割った半球に座った方が楽になるが、半球体が水に浮くには不安定で、浮いている途中で反転するだろう。
【０００９】
結局、反転、転覆しない、安定した状態にするには、浮体の安定要素、すなわちメタセンタ―(浮かんだ物体の傾きの中心、即ち傾けた時の浮力の作用線が平衡位置での浮力の作用線と交わる点)が浮かんだ物体の重心より高くなければならないので、大きな球体にならざるを得ない、和船舟の様に底面積を広げるか、重心を下げるかの工夫がいる。
【００１０】
次の課題として、箱体、球体等の既存シエルターの中に人が入って、助かり、漂流したとしても、その次に、どうして脱出するのか、誰に助けてもらうのかを考えると、これにも課題が多い。シエルターに乗り込んだ被災者が、周りの状況を把握できるのか、そして、どう行動するのか、津波の引き波に乗って、どんどん沖合に流されて、誰にも見つけられなければ、どうなるのか、避難者自らが自分の力を利用して、能動的に何か行動が出来るのか、を考えると、明快な答えが見えない。
【００１１】
又、使い方、扱い方が簡単であり、分かり易いものなのかどうか、購入価格はどうなのか、を考えると疑問な物が多い。避難用シエルターとして、使用者（個人）が購入しようと思われなければ、その案は机上の理論であり空論です。製品の無い、理論空論だけでは、実際に使う事は出来ません。一生涯使う事が無いかもしれない物に、多額のお金が使われる可能性は殆ど皆無です。使用者に、実際に購入したい、と思わせる物でなければ、世の中には普及しないのです。本件は、この普及のし易さを第一に考えた発明です。
【００１２】
周期的に東南海沖地震が、何時来てもおかしくないとされる、現代に於いても、有効な避難手段が無いのは、早急に解決しなければならない大きな課題です。
【００１３】
特許文献１の特開２０１７−１７１２６５  水害用シエルターは、避難者の入る空間をガスの入る袋で囲い込んで、浮きとクッションにしたものです。
【００１４】
特許文献２の特開２０１５―２１７９３２  津波救命シエルターボートは、上部カプセルと下部カプセルとをフランジ部分で、ボルトナットを用いて一体化したものです。
【００１５】
特許文献３の特開２０１５―１９３３７３  複数ハッチ略箱型シエルターは、押し入れ等に収納可能なシエルターであり、複数ハッチの扉が上下にあり、水位の変化によりどちらかの扉を開閉できる様にしたものです。
【００１６】
特許文献４の特開２０１７―２１７９９０  津波避難用浮遊体、は携帯出来る事を目指しているみたいだが、立体形成体の体積を球体に換算した直径が５０ｃｍ〜１１０ｃｍとされている。これでは分かり難いので、高さ1、8ｍの円筒に換算してみた、すると直径が２２ｃｍ〜７２ｃｍと成った。直径２２ｃｍの円筒に人は入れないし、７２ｃｍでも大人３人が入れば身動きが取れないだろう。従って本件発明の能動的避難行動を起こすのは無理である。
【００１７】
特許文献５の特許６１７８２９７号  避難用シエルターは私が特許権を持つ先願発明です。これにも課題が有り、まず側面に出入り口があり、出入りする際には容器が立っている状態で出入りする事になります。その事は容器が水中では無い、地上で出入りする事になります、容器を水面に浮かした状態で出入りするには、容器を寝さす事になります。寝かした容器に入って、鉛直状態にするには、重心を変える為の、何かの工夫、手段が必要になりますが、簡単な解決方法は思いつきません。これは普及し易くするために簡単な扱い方を目指している本発明には相容れません。
【００１８】
非特許文献１の実開昭５９−１５８５９５  救命シエルターは、船体に取り付けられるシエルターであり、本件とは視点が違います。
【００１９】
以上全て、発明が解決しようとする課題に掲げた、普及のし易さを解決するものが見当たりません。
【課題を解決するための手段】
【００２０】
本件は私の発明、特許文献５の改良案です。特許文献５は側面に出入り口があり、出入りする際には容器が立っている状態で出入りする事になります。その事は容器が水中では無い、地上で出入りする事になります、容器を水面に浮かした状態で出入りするには、容器を寝さす事になります。寝た容器に入って立つ状態にするには、重心を変える等の手段が必要であり、何らかの工夫、手段が必要に成ります。これは普及し易くするために簡単な扱い方を目指している本発明には相容れません。そこで容器の上面から出入りする方が簡単、合理的であると考えたのが、本件発明です、大津波で水中深くに没する様な場合には役立ちませんが、少々の波には沈まないで浮き続けられる、簡単な機構で、簡単な取り扱いを可能にしたものが、本件発明のアイデアです。浮力の大きい物は沈みにくい反面、容積も大きいので取り扱いにも、パワー、力が要ります。特許文献５は身体全てが容器の中に入るので、容器体積も必然的にそれなりの大きさに成ります。この事は複数の人が入れる大型容器にも共通します。それはシエルターの中に入って、津波を待っている事になります。そんな非現実的な物は採用されません。そこで本発明は色んな場合にでも対応し易いように、容器の上面からだけ出入りが出来る様にしました。容器上面全てを開口部としても良いし、上面を覆いハッチを設けて、蓋を付けても良いのです。蓋の無い場合には、覆いが出来る膜、シートを設ける事で波の浸水を防ぐ事が出来ます。上面から身を乗り出せるので、オールや櫓の取り扱いも出来ます。この考えに至った理由を説明いたします。不幸にして強大なパワーを持つ自然災害に遭遇した時、何らかの避難手段が無ければ、逃げられません。気力体力も大事ですが、物理量が比較出来ない程大きな力には、物理的に逃げられる、何かの手段が必要です。膨大なパワーを持つ災害に対峙する時であっても、人間の能力で扱える物の大きさ、重さ、事柄には、おのずと限度があります。収納場所もしかりです。水面に浮かべる作業しかりです。大きな容器の身近な一例としてドラム缶が有りますが、ドラム缶の容量は約２００リットルです、内径約５９ｃｍ高さ８９ｃｍなので大人一人が入れば満員です、しかも頭は入りません、飛び出したままです。しかし浮力は約２００キログラム以上あります。容器重量は３０キログラム未満です。このドラム缶に身長１７５ｃｍ，体重７０キログラムの人間が足腰を折り曲げ、屈んだ姿勢で、入り、水面に浮かべると、縦長のドラム缶は倒れ、横長の状態で水面に浮かびます。中に入っている人間は、うつ伏せ、あおむけの姿勢を自分でコントロールする事も、脱出する行為も出来ません。隙間の小さい容器空間一杯に詰め込まれているからです。この状態で漂流する事は出来ません、すぐに転覆、浸水します。簡単に脱出も出来ません。この例が示すように、身体姿勢を変えられる、伸展状態で収納する容器の体積は、もっと大きな物が必要に成り、嵩張る大きなものに成ってしまいます。遊園地にある手漕ぎボートの様な、水平立長の容器を一人用として小さく作った物であれば、寝る姿勢では楽ですが、上に天井を付けなければ、波が入って来るし、簡単に転覆浸水します、天井を付ければ、能動的に何か行動を起こす動作には邪魔であり不向きです。漂流中の避難行動は、助かるチャンスを常に覗っている必要があります。この為には、起きていても疲れにくく、楽な姿勢を保てる容器の形が必要です。その為には座位が必要であり、行動をする時には、立位出来る容器が要ります。
【００２１】
請求項１に於いては図１０に示す様に、容器の上面から人が出入り出来る、人を乗せて水面に浮かぶ事が出来る容器（１）に、接岸保持手段（９）（舫（もやい）綱（１６）（以下舫綱と言う）、フック棒（１１）のいずれか、又はその両方）を設けた事を特徴とする避難用シエルターです。舫綱とは舟を岸壁等に係留させておく綱の事である。フック棒とは棒の先にフック、引っ掛かり、が付いた棒の事である。一般に舟は舫綱を何かの物体に繋ぐ事によって係留され、波に、さらわれたり、流されることなく係留されている。人が舟に乗り込む時、大地を蹴って舟に乗り込むと、慣性の大きい大きな船はあまり動かないが、小さい舟だと人の慣性で簡単に動く。これは水面には摩擦抵抗が殆ど無いので、慣性の小さい小舟やシエルターは、乗降する際に、乗降する人間の姿勢に因る力や慣性力を受けると、力の働く方向へ簡単に移動する。この現象が、避難用シエルターに乗り込む時にも起きるのだ。
【００２２】
避難用シエルターが大型の場合は、人間一人が乗りこんでも動かないだろうが、本件発明シエルターは乗り込む避難者が１人から４〜５人ぐらいを想定している。従ってシエルターの重量を２０ｋｇ〜３０ｋｇぐらいに予想している。既存ゴムボート程度の重量である。水面に、係留されないで浮かんでいるゴムボートに乗るには、誰かがゴムボートを捕まえている必要がある。桟橋や手摺の無い所で、捕まえられていないゴムボートに乗ろうとすると、普通は転落する、片足を乗せたとたん、ボートはすーと滑り出し、搭乗者は大股開きに成った姿勢で水上に転落する。これは私が実験で会得した教訓である。
【００２３】
水害時の避難用シエルターに乗り込む時には、もっと条件は悪いだろう、流れも有り、波もあるだろう。この様な状況下で乗り込むには、シエルターを係留、停止させておく事は絶対条件である。ところが既存技術を調べると、一向にその資料が出て来ない。おそらく、その事を考えている人が少ないのだと思う。一例をあげて説明する。図１０に示すように、長さ約１０ｍの1本の舫綱（１６）の両端をＡとＢとし、Ａ端をシエルターである容器（１）に繋ぎ、Ｂ端を樹木や手摺、柱の後ろを通して、シエルター側に戻す。このＢ端側の舫綱を手に持って引張りながら、徐々に力を抜き、シエルターを水面に降ろす。次は自分が後ろ向きになって、Ｂ端側舫綱を引っ張りながら、シエルターを陸側に向って、足で押しつける様にして、背中を水面側に向け、シエルターに乗り込む。その次に他の避難者を乗せる。最後に自分が乗る場合でも、避難者の誰かが舫綱を引っ張って、シエルターを陸側に押し付けておく必要がある。この時シエルター内壁に網が設けてあると、網の目に足を引っ掛けて降りられる。
【００２４】
舫綱に代わってフック棒（１１）を使う場合も同じである。容器（１）に積み込む予定のフック棒（１１）を取り出し、陸地の樹木、植木等に、棒先のフックを引っ掛けて、フック棒（１１）を握って引っ張りながらシエルターに乗り込む。樹木、植木等が無い場合には柵、手摺等にフックを引っ掛ける、それも無い場合は、大地に向ってフックを振り下ろし突き刺す、鍬で畑を耕す時の様に、フック棒（１１）を振り上げ、大地に向って振り下ろすと、フックが大地に突き刺さる。この突き刺さったフック棒を握り、引っ張りながらシエルターに乗り込む。石垣の目地や岩の割れ目に突き刺す事も出来る。フック棒（１１）は、釣り竿の様に伸縮機能を設けておくと長い物でも、小さいシエルターに保管収納出来る。
【００２５】
全員の乗り込みが終わると、舫綱Ｂ端を離し、シエルターに繋がっている方のＡ端側を引っ張る。舫綱は樹木や手摺、柱の後ろを通ってすり抜け、係留は解除される、フック棒（１１）が大地に刺さっている場合は、揺り動かすなどして抜く。するとシエルターは離岸出来る。
【００２６】
舫綱を手繰り寄せ、何も付いていない、舫綱Ｂ端に、浮き付きのフック棒（１１）を括り付けておき、舫綱をいったん収納する。漂流されて穏やかな水面に出た時には、舫綱Ｂ端のフック棒（１１）と浮きを沖へ流す。救助ヘリコプターがこのシエルターを発見した時は、ヘリコプターのフック付きロープを降下させ、水面に流すだろう。すると、シエルターと浮きに繋がって、浮いている舫綱に引っ掛かり、更に引っ張るとフック同士が係合し、引張力が伝わり救助が出来る可能性が高まる。又、救助されないで、避難者自らがどこかに接岸した場合に、陸上へ上がる時にも、乗り込んだ時の逆順で降りる事が出来る。経験者以外は分かり難いだろうが、桟橋の設備が無い所での乗降は、非常に難しい行為なのである。遠浅ではない所の、崖や陸地に辿り着き、上陸する為に、陸地に手を着き、ボートやシエルター本体を足で蹴ると、水面は摩擦が小さいので、ボートは後ろへ下がり、上がれないのである。上陸する時にも、シエルターは常に陸側へ引き付けておく必要が有るのである。この様に接岸保持手段（９）は重要であり、一人でシエルターに乗降する場合には、絶対に必要な手段なのである。
【００２７】
容器（１）の材質を比重が１程度のポリエチレン等の樹脂を使う事で、重量は軽い物が出来る、一人乗り用の小型の物であれば、１０ｋｇ程度の物も出来るので、老人にも扱える。金属製は丈夫な物が出来るが、重量は重たくなる。比較的軽くて丈夫なのは、ポリカーボネート材がある。
【００２８】
請求項２に於いては図２，３に示す様に、容器（１）の外周に、フロート（２）が水面位置に向かうフロート取り付け手段（３）を設けた事を特徴とする請求項１記載の避難用シエルターである。嵩張るフロート（２）と容器（１）を一体化すると、収納、運搬に不便なので、分離出来る様にしている。避難者が能動的に救助されやすい状態で避難漂流している為には、おのずと寝た姿勢では無く、座った状態又は立った姿勢でいる必要があります。私が考えたこれを踏まえた、極力小さい容器の形は、球には成りませんでした。フロート（２）はバスケットボールの様な物でもよいしドーナツ型でも良いのです。ゴム製や樹脂製でドーナツ型の浮きを作り、それを備え付けても良い。又漁業で使われている、プラスチック製の浮きを複数、容器（１）の外周に巻き付けた引張紐（５）に繋ぐ事でも出来る。 ドーナツ型のフロートの内径を容器（１）の外周に合わせた物を作り、それを幾つかに分断した物を、容器（１）の外周に巻き付けた引張紐（５）に繋ぐ方法もある。フロート（２）を網（８）袋に入れて、その網を引張紐（５）に括り付ける方法もある。図２，３、４参照。
【００２９】
容器を小さくする為には、避難者の身体と容器との隙間を、極力少なくする必要があります。尚且つ避難行動の為の動作空間は保つ必要があります。その形は小舟の様な水平長さが長い形では無く、鉛直方向に身長方向を合わせたものになりました。その場合、浮力中心と重心位置の水平距離は小さいものです。それは転倒しやすい事を意味します。そこで容器外周にフロートを設けたのです。重心と浮力位置との水平距離を稼いだのです。古代、大海原を渡った海洋民族が使った、丸木舟のアウトリガーと同じ理屈です。転覆転倒モーメントに抵抗するものです。
【００３０】
しかし、フロートが容器に固定されると、その高さ位置も固定されるので、容器の中に居る避難者の重量が変わると、フロートの浮力が働かない場合が出て来ます。例えば避難者三人が容器の中に入った時の、容器外の水面位置が、容器底から６０ｃｍ上がった所だと仮定しましょう。その位置にフロート（２）が、フロート体積の１/４程度沈んでいる状態で浮かんでいると仮定します。すると容器が揺れてもフロートの浮力が働き、転倒防止に役立ちます。図１参照。
【００３１】
ところが避難者が一人だとしたらどうでしょうか、軽くなった容器は浮き上がり、水面は下に移動します。容器にも浮力が有るからです。フロートは空中に浮いた状態に成り、浮力が働きません。避難者が６人の場合はどうでしょう。フロート全体が水中に沈み込み、容器はフロートに突き上げられた状態で支えられ、浮いた状態に成ります、すると水位水面の動きに敏感に反応します。少しの波でも容器の姿勢は変動し、ぐらぐらと揺れます。中に居る避難者は常に揺らされ、落ち着いた状態ではいられません。重心より下での浮力は安定姿勢を保ちません。
【００３２】
フロート（２）は全体が水中に沈みこむのでは無く、着水していて、容器が揺れた時にだけ浮力が働く状態が理想なのです。このフロート、容器、浮力、引張紐（５）の引張強さ、大きさ形、との関係は今後、理想的な大きさ寸法、形等を追求する研究課題に成りますが、基本的な考え方はご理解いただけると思います。
【００３３】
請求項３に於いては容器（１）の外周壁面は逆円錐、逆角錐の下すぼみテーパー形状である、請求項１、２いずれかに記載の避難用シエルターです。人間身体の比重は約１に近く、ほぼ水と同じです。避難者身体と容器との間は隙間なので空気です、この隙間空間は、まるまる浮力となって容器を浮き上がらせる力に成ります、重心位置より低い位置での浮力は、容器を転倒させる力になるので、小さい方が転倒防止には有利です。テーパー形状容器はこの意味で、足元の容器内体積を小さくする為に、容器水平面積を減らす形にしています。図３の一部参照。
【００３４】
請求項４に於いては、フロート取り付け手段（３）は、容器（１）とフロート（２）を、引張力を付与されたゴム紐等の紐又はロープ（以下、引張紐（５）と言う）で繋ぐ、以下に述べる二種類の手段であり、その一つ目は容器外周壁面が下すぼみ形状のテーパー形状容器外周に引張紐（５）を水平に巻き付け括り、その引張紐（５）に複数のフロート（２）を繋いだ手段である。図１，６参照。
【００３５】
手段の二つ目は容器（１）の下端から引っ張られた引張紐（５）に繋がれたガイド（２１）とガイド溝（２０）とを組み合わせた物に、容器（１）とガイド溝（２０）、フロート（２）とガイド（２１）を、それぞれ繋ぎ、ガイド溝（２０）とガイド（２１）を嵌め込み繋いだ手段、並びにその手段によって繋がれた容器（１）とフロート（２）である、請求項２、３いずれかに記載の避難用シエルターです。
【００３６】
テーパー形状容器には二種類共の手段が使えます。まず一つ目手段、テーパー形状容器の容器外周下方の寸法の小さい所へ引張紐（５）を水平に巻き付け繋ぎます。その引張紐（５）に複数のフロート（２）を括り付けます。フロート（２）がバスケットボールの様な、括る相手が無い物は、バスケットボールをネット(網（８）)袋の中に入れて、そのネット袋を引張紐（５）に括り付けたり、ネット袋のネット目に引張紐（５）を挿通すれば簡単です。引張紐（５）には紛失防止紐を設ける等の紛失防止手段を施しておきます。
【００３７】
二つ目はガイド溝（２０）とガイド（２１）を組み合わせた物に容器（１）とフロート（２）を各々繋ぎ、ガイド溝（２０）とガイド（２１）を嵌め込み組み合わせたものです。図６にその様子を、姿図と詳細図で表しています。引張紐（５）には抜け落ち防止紐等の手段を施しておきます。
【００３８】
手段一つ目の場合、フロート（２）は水面に有りますが、容器（１）は乗り込む避難者の数が多いと深く沈みます。容器（１）が水中に没するとフロート（２）には浮力が働き浮きます。フロート（２）は容器外周に巻かれている引張紐（５）に繋がっているので、引張紐（５）は上に引っ張られます。すると容器（１）の外周寸法が大きく成るので、引張紐（５）は強く引っ張られ引張力も大きく成り、容器（１）を締め付ける力も上がります。この力のバランスの取れた所で引張紐（５）が静止し、フロート（２）も止まり定着します。荷重が小さく成ると、この逆です。容器（１）に掛かる荷重が変わっても、フロート（２）は容器（１）の外周を上下移動しながら容器（１）に繋がっています。
【００３９】
手段二つ目の場合、容器（１）の外周壁面が下すぼみ形状のテーパーでは無く、円筒、角筒の場合は、外周水平長さは水深に関係なく不変一定なので、姿図と詳細図を図６に示す、ガイド溝（２０）とガイド（２１）を組み合わせた物を使います。容器（１）底部に繋がっている引張紐（５）に繋がっているガイド（２１）とフロート（２）が、ガイド溝（２０）とガイド（２１）を介して繋がっています。容器（１）が深く沈むと引張紐（５）が伸び、浮かぶと縮み、フロート（２）は容器（１）を離れることなく、上下しながら容器（１）に繋がっています。引張紐（５）はバネにワイヤーロープを繋いだ物でも良いのです。
【００４０】
請求項５に於いては  図７に示す様に、容器（１）には外リング（１２）内リング（１３）のいずれか一方又はその両方が設けられた請求項１、２、３、４いずれかに記載の避難用シエルターです。外リングとは昔で言う、桶のタガである、容器を桶の様に、複数多数の板を繋ぎ合わせて作る場合には、この方法は古典的ではあるが、強度を増すのに役に立つ。内外リングを同じ高さ位置に設けて、両者を繋ぐと、強度は飛躍的に上がる。容器形状がテーパー形状で無くても、使える秀作である。図７右側には内リング１３に、自動車のタイヤを使っているので、内側のタイヤ空間に色々な備品が収納できる。タオル、食器、ペットボトル等の飲料水、おしめ、モバイルバッテリー等々、生き延びる為には様々な物が要る。円弧上の板に指孔を開け、スライド扉としている。自動車のタイヤ内リング１３は、腰掛椅子にもなる。タイヤ内リング１３を受ける為、容器（１）の内側に突起を設けている。
【００４１】
容器形状がテーパー状のシエルター水平断面は、徐々にその周長が増減している。容器水平面積が大きい物の周長は長く、小さい物は短い。外周に於いては外リング（１２）を下から上へ（短い方から長い方）移動させれば締まるし、逆にすれば緩む。内周に於いてはこの逆になります。この性質を利用して鋼製の外リング（１２）と内リング（１３）を繋がなくても、同じ水平高さに入れる事により、強度の高い避難用シエルターが出来る。自動車のチューブを外リング、古タイヤを内リングに使えば安価に出来て、廃棄物の再利用も出来、廃棄物を減らす、今人類が最も為すべき課題に貢献できる。この場合の古タイヤ内リングは、腰掛椅子にもなり、長期の漂流姿勢も楽になる。又タイヤを使うと内部は空洞なので、非常用持ち出し品を収納しておける。飲料水、タオル、スマホ、懐中電灯、モバイルバッテリー、おしめ、食料品、食器、生き延びる為には色々必要だが、これらを収納して、スライド周回出来る戸板を入れておく事で、無駄なスペースが有効利用できる。また外周容器（１）の内周接触面に切り欠き穴を開けておき、フイン式手漕ぎオール（１４）やフック棒（１１）を貫通突き通し、立てかけるスペースを設ける事で、狭い場所に揺れても動かない収納が出来る、
【００４２】
請求項６に於いては図５に示す様に、容器（１）の外周に、フイン式手漕ぎオール（１４）が設けられた請求項１、２、３、５いずれかに記載の避難用シエルターです。容器（１）に代わり、フロート（２）に設ける事も出来ます。オールを通す輪とそれを支える支柱とを、容器（１）又はフロート（２）に取り付け出来れば良いので、多くの方法がある既存取り付け技術を採用します。大型シエルターでは、人力でシエルターを操る操作は無理ですが、小型であると、水に流されっ放しになっている場合でも、オールを漕いで、位置補正や流される方向を変える事は出来ます。只、遊園地や公園等でよく見かける水を掻く、手漕ぎボートの従来オールでは、オールを握った手の位置を、水平前後方向に大きく移動できなければ推進力は生まれないので、フィン式推進力を使ったオールを使います。
【００４３】
図５はその様子を表す説明図である。フィンとは魚の尾びれの事です。フィンを振ると水を蹴る力は、座標軸で言う、Ｘ軸とＹ軸の分力に分解できます。漕がれたフインの分力の推進力に成る方を利用して進むのです。水族館には多数の魚が泳いでいる。鰹やブリの様子を見ていると、尾びれを左右に振って推進力を得ている事が、よくわかる。尾びれを左に振ると水はヒレに押され、魚の尾びれ付近は右に振られるが魚本体は左に傾く、右に振ると右に傾く、この時、角度の付いた水への反力は左右だけでは無しに魚の進む方向へも分力となって働いている、これがフイン推進力である。
【００４４】
魚は高速でこの反復を繰り返せるが人間には無理である。容器（１）に乗った人間が柄の先に付いたフインを水平左右に振ると、その反力で容器（１）も左右に振られる。これを繰り返しても容器（１）も  左右には振られるが、推進力に転換される力はわずかである。ヨットのセンターボードの様な振れ止めが付いていないので、揺れだけに終わってしまうのである。
【００４５】
ところがフィンを上下に振ると、その反力が容器（１）にも伝わるが、今度は地球引力と言う容器総重量と、浮力とが、その反力に抵抗し、推進力に変換される、それ故、上下振幅は左右振幅に比べ、進行方向への推進力変換率が高い。オールを漕ぐ動きも、左右振幅では消滅した反発力が、上下運動なら推進力変換効率が増し、漕ぐ姿勢も上下運動なので力が入り易い姿勢が取れる。
【００４６】
図５左に示すように、フインの取り付け方向を変える事で、同じオールの上下運動でも水を蹴る方向が変えられ、前後どちら方向へも行く事が出来る。立位でオールを漕げば体重を掛けて漕ぐことが出来る。オールにぶら下がって漕げば体重を掛けられるので、大きな推進力が得られる。又、オール手元をＴ字型にして、オールをひねり、斜めに上下運動さす事で、垂直運動に左右運動を加える事が出来、水を左右方向へも蹴る事が出来、方向変換が出来る。
【００４７】
これは面白いので、使用目的が避難用シエルターの本件発明を、遊具として利用が出来る。これは滅多に使用される事の無い、シエルターを使う絶好の機会になるので、遊びで避難訓練が出来る事になり、被災時には使い慣れた遊具を、避難用具として使える事になる。新潟県佐渡ヶ島にはタライ船のレースがある、丸桶船の大きな物で競争するのである。昔話一寸法師には茶碗船で川を下るシーンがある。面白い要素を取り入れ使う事で、口やかましく言っても、中々実行できない、採用されない、避難訓練が出来るのは素晴らしい事である。是非採用企業が現れて、商品化されたいものである。この事がコロナウイルス収束後の景気回復の産業の一助になればと願う。
【００４８】
請求項７に於いては、図８(ロ)に示す様にビニール膜等、屈曲自在の、膜（１８）を二つ割りにして、その割られた部位にファスナー（１９）を設け、膜（１８）周辺を容器（１）の内周天端に取り付けた請求項１、２、３、６いずれかに記載の避難用シエルターです。屈曲自在の膜は半球状にも平面形にも変形さす事が出来るので、容器（１）上面の平面を半球状に覆う大きさの膜を二つ割りにして、その頂点を通る円弧の線上にファスナー（１９）を設ける事により、容器（１）上面を覆い、開閉さす事が出来る膜が出来る。これを二つ割りにして、その割られた部位にファスナーを設けて、ファスナーを閉じると1枚の膜が出来る、これを避難者が手で突き上げると半球状のドームが出来る。透明のビニール膜を採用する事で、頭を突き上げれば周囲の様子を見る事が出来る。世には防水ファスナーもある。アーチ状のリブ（４）（力骨）を複数、テントの様に入れ、その根元を回転支軸で支えて、半回転開閉さすことも可能である。
【００４９】
膜を透明材料で作る事で、水は通さぬが視界は確保できる膜と成り、遭難漂流していても周りの様子を知る事が出来る。ファスナーを開けて、両側に開き、仕舞う事でクシャクシャではあるが、収納する事が出来る、開けると空気の入る開口部が開き、身を乗り出してオールを漕ぎ操る事も出来る。内側に遮光幕を入れると太陽光を遮断する事が出来、海原に流れ出て太陽光に晒される場合、閉じれば暑い日差しから逃れられる。蒸れて暑く成ったら全開して時々換気をする。
【００５０】
請求項８に於いては、図９に示す様に、地震時には家屋倒壊等の上から落ちて来る屋根材、天井材の落下から身体を守る防護容器となる、避難用シエルターであり、容器の上下を逆様にし、人が出入り出来る上面を床に接する下面とし、容器（１）を床に置いた時、床と容器下端の隙間から人間が容器（１）内に入り込める隙間が出来る為の突っかい棒（１７）を、容器（１）の下端から床に向って突き出して設け、突っかい棒（１７）の上下出し入れが出来る構造に容器（１）に設けた請求項１、３いずれかに記載の避難用シエルターです。水難災害に利用する容器（１）を上下逆様にして保管すると、地震時のシエルターに成りこの中に入って地震をやり過ごすと、地震時、上から落ちて来る屋根材、小屋組み材の落下から身体を守る防護容器となる。水難用シエルターを室内保管する事が地震時のシエルターになるわけである。又シエルターの頂部である上部に、人間の出入りが出来る大きさのハッチを設ける事で出入り口が増え、地震時の閉じ込められる要素を減らす事が出来る。この場合、内外共から開閉できる簡単な螺旋構造のネジ式の回転式ハッチが大衆に理解されやすい。パッキン材をかましておくと、水難時の利用にも防水性能は落ちない。
【００５１】
容器下端から、床に向って突っかい棒を突き出すと、容器下端と床との間に隙間が出来る。図２、９示す切り欠き（２４）を容器（１）下端の外周壁面作ると人が出入りしやすい。突っかい棒（１７）はネジ式伸縮の出入り構造でも良いし、鞘管とラッチ構造を設けた、筒に突っかい棒（１７）を収納する、出っ張りと凹みを利用した既存技術を利用する事で、多様の係止手段を採用出来る。突っかい棒（１７）が出っ張ったまま水難用シエルターとしても利用でき、乗降時の手すりや、運搬時の取っ手としても、利用出来る。
【００５２】
請求項９に於いては、既存の分解組み立て技術を使って、嵩張る容器（１）を収納する為に、適宜な大きさに区分け切断分解し、フランジ等を追加し、ボルトナットで組み立てる等の、元の大きさに組み立て完成できる状態に分解された、請求項１、２、３、いずれかに記載の避難用シエルターである。世には多くの分解合体技術があるので、それを採用して分解しておくと収納がしやすく、採用もされ易い。しかし地震には間に合わない欠点もある。
【００５３】
請求項１０に於いては、図１１と図６に示す様に、フロート取り付け手段は容器（１）外周の上下各々に、滑車（２２）を設け、その滑車にロープを張り渡し、ループ状にしたループ式ロープ（２３）にフロート（２）を固定して設け、避難者が手を伸ばして、ロープを上下に動かすと、フロート（２）も上下に動き、任意の位置で止められるフロート取り付け手段を複数箇所、容器（１）外周に設けた請求項１、２、３、いずれかに記載の避難用シエルターである。滑車（２２）の動きが滑らかだと、フロート（２）も自由に動くので、ある程度固くするか、ブレーキを用意する。
【００５４】
図１１に示すのはフロート（２）の容器（１）への取り付け高さを自由に調整可能にした実施例である。容器（１）へガイド溝（２０）を設けて、フロート（２）にはガイド（２１）を取り付けている。ガイドはガイド溝を自由に上下できる。ガイドにはループ式ロープ（２３）が繋がっていて、ループ式ロープを引っ張るとガイドが上下し、繋がっているフロートも上下する。避難者が立位に疲れて、横になって寝たい場合、容器（１）を水平に近い斜め姿勢にしたい。その時フロート（２）の高さ位置を調整すれば水面に対するフロートの位置を調整する事で姿勢が変えられる。図１１の左上斜視図はその様子を表し、その下は平面図である。複数のフロート高さを、ループ式ロープを（２３）引っ張る事によって、取り付くフロートの高さ位置が変えられるので、容器（１）内から手を出して、ロープを上下どちらかに引っ張り調整する。
【発明の効果】
【００５５】
この発明は以上説明した様に、発明の課題を解決したものであり、多くの既存技術がある中で、なかなか現実化されない現実、事実を変えられる、採用されやすい簡単、安価、軽量、小型化がされ易い、数少ない現実策であると思う。災害に遭遇しないで生きられれば一番いいのだが、多発する現代では、そうもいかないらしい。備えあっても憂いのある現代だが、解決策の一助に成って貰いたい。発明の詳細な説明欄で、各請求項毎に詳しく説明したとおり、現実に使用してみようと思える、一般市民が購入してみようと思える具体策だと思う。
【図面の簡単な説明】
【００５６】
【図１】フロート（２）の付いた容器（１）へ、２人と４人の避難者が乗り込んだ様子を表す断面図。
【図２】容器（１）とフロート（２）の種類を表す斜視図。
【図３】容器（１）の種類を表す斜視図。
【図４】フロート（２）の引張紐（５）への取り付け手段を示す斜視図。
【図５】フィン式推進具の様子を表す斜視図。
【図６】上下するフロート（２）が容器（１）に装着される様子を表す説明図。
【図７】外リング内リングの容器（１）への取り付け状態を表す斜視図。
【図８】膜（１８）が容器（１）についている状態を表す斜視図。
【図９】突っかい棒（１７）が、容器（１）についている状態を表す斜視図。
【図１０】避難者が接岸保持手段（９）を使って容器（１）に乗り込む様子を表す斜視図。
【図１１】フロート（２）各々が上下スライド出来る状態に装着される様子を表す斜視図。
【発明を実施するための最良の形態】
【００５７】
図１０は水面に浮かべた容器１に避難者が乗り込む状態を表す姿図である。護岸から川の水面に浮かべた容器に乗り込む様子を描いている。舫綱（１６）を丈夫な樹木、鉄柵等の後ろを回して水辺に持ってくる。水面は護岸より０、５ｍほど下である。容器を舫綱のＡ端に括り付け、それを水面に降ろして浮かべる。次に舫綱のＢ端を引っ張りながら、容器（１）に乗り込む。容器（１）は樹木の後ろを通った舫綱を握った避難者によって陸側に引っ張られているので、護岸からは離れない、水面上での姿勢は安定しないので、片足を上げて、容器周壁を通して護岸側に押し付けている。片足で立っているのだが腕は舫綱のＢ端を引っ張っているので転倒しない。且つ容器１も離岸しない。この状態で後の避難者も乗り込む。容器の内周壁に網（８）を張って網目を設けているので、足掛かりに出来て、底にまで下りられる。全員が乗り込むと、舫綱のＢ端を離し、Ａ端を引っ張る。すると樹木等の後ろを通って舫綱のＢ端がＡ端側に来る。ここで浮き付きのフック棒（１１）をＢ端に括り付け、舫綱をしまっておく。容器１は水流に乗り離岸する。時が経って上陸できる場面に遭遇すると、フック棒を取り出し、陸地の何かに引っ掛ける。この事を考えるとフック棒は釣り竿の様な伸縮機能を持った物が望まれる。フック棒を引っ張り接岸すると乗り込み時の逆動作でシエルターから降りる。ヘリコプターでの救助場面に出会った時は、浮き付きのフック棒を水面に流すとフックが沖へ流され、容器１に繋がった舫綱が水面に浮かぶ。ヘリコプターは自らのフック付きロープを降下させ、水面上を流すと舫綱に引っ掛かり救助作業が出来る。
【実施例１】
【００５８】
図１は4人乗りの容器（１）に2人の避難者が乗り込んだ状態を表す断面図兼姿図である、大型と記入している。容器は底が直径０，８ｍ、上面が直径１、２ｍ、高さが１，６ｍの円錐状テーパー容器の断面図である。小型の記入がある容器は高さ１，１ｍで描いている。乗員は身長１，７ｍの人が内リング１３に腰かけて、半すわりの状態で立っている状態を表している。従って長く乗っていても比較的楽に過ごせると思う。外部には4人が乗る場合と２人が乗る場合の水面を描いている。容器重量３５ｋｇ、乗員体重２人分１３０ｋｇと仮定して浮力を想定して描いている。二人が乗る場合は不安定な気がするがフロートを大きくすると問題は無いだろう、又二人乗りに限定するなら一回り小さくして、底面直径は0，6m程度でも良いだろう。この辺は実物実験で改良余地が残るのだが、人が扱える小型軽量化の実用化には目途が付いた。容器の材質は軽くて丈夫な物が良い。専門家には色々知識が有るだろうが、私にはポリカーボネートが思い浮かぶ。
【００５９】
フロート取り付け手段の一つである、引張紐（５）はゴム紐を利用しているが、経年劣化が有るので金属バネを繋いだ樹脂ロープでも良い。２人乗りの時は沈下量も小さいのでフロートも下にあるが、４人が乗るとフロート２は上に移動する、容器１の周長は上に行くほど長くなるので、引張力は大きく成る。フロート２を繋いでいる引張紐（５）は周長の大きい容器１の上部に行くので、引張力が増加し、強く引っ張られる。
【００６０】
図７に描く容器１内の内リング１３は、ゴム製の物に空気を入れた膨らませるチューブ式の物やタイヤを使う事でクッション性の高い物も出来る。ゴムの厚い強度の高い物を作れば、椅子として使い易い物も出来る。サイズが合えば自動車のタイヤでも良い。内リング輪の中に足を入れるので比較的小さい面積の中に複数の人が効率よく入る事が出来る。チューブ式が柔らかすぎる場合はプラスチック製なら多種のニーズに合ったものが出来る。外部水圧に対抗できる事も利点になる。
【００６１】
容器１は樹脂製として、金型に樹脂を注入し成型する製造方法もあるし、ステンレス浴槽の様に金属製の物を作るのであれば、大型プレス成型で大量生産すれば安価に出来る。容器外周天端に中空パイプを手摺状に設けると、乗降時にも楽に利用でき、運搬持ち運びにも便利だし舫綱を結ぶのにも便利である。６はロープ等を通す為の穴である。容器下端に車輪を設けると運搬に便利である。
【実施例２】
【００６２】
容器内面に、保温剤やクッション材を設け、その上に網を設けると、避難者は使い易い。この発想は特許文献５からの発想ですが、気中、水中に没している容器は気温、水温を内部に伝える。特に容器が金属であれば熱伝導率は高く、真冬であれば、すぐに避難者が体温低下で体調を悪化さす。この時、容器内部に断熱材やクッション材を設ける事によってこの様な事態を防ぐ事が出来る。例えば独立気泡のスポンジを張り付けて、その上を１０ｃｍ目の網で押さえつけておけば、クッション性があり、保温効果もある。水も吸わないので少々の雨等でクッション材が濡れても吸い込まない。容器と断熱材やクッションの間に隙間を開ける、スペーサーや突起を設ける事で、雨水や波しぶきは裏側の通り道を通り、被って入った水は下に落ちるので、底に嵩上げ蓋を敷いておくと、しばらくは濡れずに済む。枕の大きさ程度の連泡スポンジを積んでおくと、水が入った時の排水がし易い。容器内面の網は、姿勢を保つ手摺の代わりにもなるし、乗降時の階段、タラップの役目も果たす。漂流時間が長いと、何時までも手摺代わりの網を握っていられないかも知れない。この時、身体を巻くベルトの両端に、フックの付いた物を用意しておくと、腰や胸の位置で、このベルト両端を網に引っ掛けるとシートベルトの代わりに成り、仮眠状態で身体を保持できる。又、懐中電灯や携帯電話、スマートホン等を網に引っ掛けておいて、見易い位置で使う事も出来る。網の取り付け方法は容器（１）から吊り子やトンボと言われる突起や小片を適当ピッチに設けておく、容器（１）が樹脂成型の場合は予め金型でその雌型を作っておく方法もあるし、平板の物には接着や後付けで吊り子やトンボを取り付け、その上にスポンジ板を貫通させ、その上に網を乗せ、その網の糸を吊り子やトンボに括り付ける。これで断熱性とクッション性のある容器室内が出来あがるので、波の揺れや振動で容器内面に打ち付けられる身体の衝撃を和らげられ、姿勢保持も出来、寒さからも緩和され、生存できる可能性を高められる。
【実施例３】
【００６３】
図１２は容器（１）外周上端にフロートを固定して、取り付けが出来るフロート取り付け手段（３）が付いている様子を表している。ロープ係留手段（３）は輪の閉じた物では無く、隙間の空いた輪やカラビナである。輪の中にロープを通すのは緊急時には難しい作業になる。急ぎの作業ではあるが、慌てていると、日頃上手く行く作業でも失敗する要素が高い。そこで輪の中を潜らせないで、ロープを通す方法にしてある。輪には隙間が設けて有って、この隙間にロープを押し込むと輪に嵌まる、又カラビナは押し込むだけで輪に嵌まる。従ってロープの途中で輪に嵌める事が出来る。そして両者ともロープは外れない。フロートを付けたままのロープでも嵌められる。これは緊急時には便利である。このフロートは上下移動しないで、最上段に固定される。おおよその人数が決まっている場合はこの方が早く使える利点がある。
【実施例４】
【００６４】
又他の実施例として容器（１）に、栓が出来る穴を開けておくのも便利である。容器（１）外周壁の手の届く足元辺りに、ネジ式で止水出来る栓を設けておく事で、容器（１）の中に外部の水を入れる事が出来る。4人乗り用の容器（１）に1人が乗っている場合、不安定に揺れる事もある。この場合、重りを底部に置くと安定する、例えば、砂や砂利の入った袋とか、ブロック等重量のある物を置く事で重心が下へ移動する。しかし、わざわざこれらの物を用意して積み込む可能性は少ない。そこで水を入れておけば安定度は上がる、タンクに入れた飲料水でも良いが、何も無い場合、外部の水を中へ取り込む事で、重心が下がり安定する、足元が濡れると嫌なので底蓋（２７）をしておくと良い。図７に示す通水孔（２６）はネジ式キャップの付いた実施例を示す。普段は閉めておく。
【実施例５】
【００６５】
錨りを、容器（１）に備えておく。流れに乗って流されるシエルターは、その方向を変えられない。そこで方向を変えられる手段を提供する。水の底に迄到達する、ロープに括り付けた錨りを沈めると、錨りは川底を引っ掻きこすり、その摩擦力でシエルターの流下速度は落ちる。その時、シエルターに乗った避難者が周りの水流の片側に、手やオールを出すと、流れる水がオールに当たり、シエルターの流される方向が変わる、変えられる。オールを右に出すと、シエルターは左に押され、右に出すと左に押される。これはシエルターの流下速度より周りの水の流下速度の方が早いからである。シエルターは錨に繋がれたロープによって引っ張られているので、流れる水流より流下速度が遅いからである。この動作を繰り返すと岸辺に近づける。この考え方は、１９９９年８月14日に、神奈川県足柄上郡山北町の玄倉川で発生した、玄倉川水難事故（くろくらがわすいなんじこ）にも使える、簡単で効果的な救助方法でもある。岸辺から船をロープで引っ張れば使える、私の経験から編み出した救助方法である。その他、移動持ち運びの為の取っ手、車輪等は、色々考えて便利な様に考えて取り付ければ良い。
【産業上の利用可能性】
【００６６】
この発明は、大げさな機構装置では無い、簡単、軽量、小型の災害時の避難用シエルターである。机上の理論、空論では無い、現実の生活に採用されやすい、実際に使用出来易い、具体的な避難方法を提案したものである。今後、社会の生き方はゴミを出さない、廃棄物を出さない、エネルギーを無駄使いしない生活が求められるだろう、泣きっ面に蜂、と言う諺がある、コロナウイルス問題は現代社会の歪みを一挙に露呈させ、社会の力を大きく疲弊させた。そのような社会にあって、極力廃棄物を出さないで、人々が生き甲斐を見出す産業の一助になる事を願う。
【符号の説明】
【００６７】
１、容器
２、フロート
３、フロート取り付け手段
４、リブ（力骨）
５、引張紐
６、穴
７、網目
８、網
９、接岸保持手段
１０、鉄球重り
１１、フック棒
１２、外リング
１３、内リング
１４、フィン式手漕ぎオール
１５、取り付け手段
１６、舫綱
１７、突っかい棒
１８、膜
１９、ファスナー
２０、ガイド溝
２１、ガイド
２２、滑車
２３、ループ式ロープ
２４、切り欠き
２５、ロープ係留手段
２６、通水孔
２７、底蓋
【図１】
2020165305.tif 000003
【図２】
2020165305.tif 000004
【図３】
2020165305.tif 000005
【図４】
2020165305.tif 000006
【図５】
2020165305.tif 000007
【図６】
2020165305.tif 000008
【図７】
2020165305.tif 000009
【図８】
2020165305.tif 000010
【図９】
2020165305.tif 000011
【図１０】
2020165305.tif 000012
【図１１】
2020165305.tif 000013
【図１２】
2020165305.tif 000014
【手続補正書】
【提出日】令和2年6月13日(2020.6.13)
【手続補正１】
【補正対象書類名】明細書
【補正対象項目名】００５６
【補正方法】変更
【補正の内容】
【００５６】
【図１】フロート（２）の付いた容器（１）へ、２人と４人の避難者が乗り込んだ様子を表す断面図。
【図２】容器（１）とフロート（２）の種類を表す斜視図。
【図３】容器（１）の種類を表す斜視図。
【図４】フロート（２）の引張紐（５）への取り付け手段を示す斜視図。
【図５】フィン式推進具の様子を表す斜視図。
【図６】上下するフロート（２）が容器（１）に装着される様子を表す説明図。
【図７】外リング内リングの容器（１）への取り付け状態を表す斜視図。
【図８】膜（１８）が容器（１）についている状態を表す斜視図。
【図９】突っかい棒（１７）が、容器（１）についている状態を表す斜視図。
【図１０】避難者が接岸保持手段（９）を使って容器（１）に乗り込む様子を表す斜視図。
【図１１】フロート（２）各々が上下スライド出来る状態に装着される様子を表す斜視図。
【図１２】容器（１）へのフロート（２）を固定して装着出来る、手段を表す斜視図。